(57)【要約】      （修正有）【課題】使い捨てであり、且つ乳首が、感触性／柔軟性、耐薬品性、無害性等から、シリコーンゴム製ということの課題も解決する哺乳器を提供する。【解決手段】内部が可覗可能な上下端開口の円筒型硬質ライナー用ホルダーＨと、ホルダーの内部に装填される薄肉のチューブ状ミルク液収納用ライナーＬと、このライナーの内孔上縁と連通する様、該ライナーと共に同一材料のシリコーンゴムにて一体的に成型された乳首１と、更に前記ホルダーの上下端開口部に夫々着脱自在に被さる乳首保護用トップフードＦ及びボトムキャップＢとで構成し、而も上向状態としたチューブ状ライナーの下端内孔口より所望のミルク液Ｍを注入して該ライナー用ホルダーよりはみ出た前記ライナーのはみ出部を折り曲げ、ボトムキャップの嵌合によって折曲したはみ出し部を押え込んで封口し、ライナー内に収納ミルク液を封入した構成とする。【選択図】図８
2008073487.tif 000002
【特許請求の範囲】
【請求項１】
上下端開口の円筒型をなし、且つ内部が可覗可能な硬質のライナー用ホルダーと、該ホルダーより長い薄肉のチューブ状であって、而も該ホルダーの内部に装填自在に挿入される可透性のミルク液収納用ライナーと、このチューブ状ライナーの内孔上縁と連通する様、該ライナーと共に同一材料のシリコーンゴムにて一体的に成型された乳首と、更に前記ホルダーの上下端開口部に夫々着脱自在に被さる乳首保護用トップフード及びボトムキャップとで構成し、而もトップフードを下向きとした状態において、上向きとなったミルク液収納用のチューブ状ライナーの下端内孔口より所望のミルクを注入して該ライナー用ホルダーよりはみ出た前記ミルク液収納用ライナーのはみ出部を折り曲げると共に、ボトムキャップを嵌合せることによってその折曲したはみ出部を押え込んで封口し、核ライナー内に収納ミルクを封入する様にしたことを特徴とする使い捨て哺乳器。
【請求項２】
ライナー用ホルダーは、可透性の合成樹脂から成ることを特徴とする請求項１記載の使い捨て哺乳器。
【請求項３】
ライナー用ホルダーは、金属から成り、該ホルダーには、そのほぼ全長に亘って、前記ミルク液収納用ライナーの内部を覗くことができるスリットが設けられることを特徴とする請求項１記載の使い捨て哺乳器。
【請求項４】
ライナー用ホルダーには、金属線から成り、前記ボトムキャップがミルク液収納用ライナーを介してライナー用ホルダーに嵌合された状態で、バネ力によってボトムキャップをライナー用ホルダー方向に弾圧する引寄せフックが設けられることを特徴とする請求項１〜３のいずれか１記載の使い捨て哺乳器。
【請求項５】
乳首には、ミルク液吸出孔が形成され、該吸出孔には剥離シールを貼着することを特徴とする請求項１記載の使い捨て哺乳器。
【請求項６】
乳首には、ミルク液吸出孔が形成され、該吸出孔に圧入される小突子を乳首保護用トップフードの内面に形成したことを特徴とする請求項１記載の使い捨て哺乳器。
【発明の詳細な説明】
【技術分野】
【０００１】  本発明は、ミルク液を収納するライナーのみならず、乳首も使い捨て可能な哺乳器に関する。
【背景技術】
【０００２】  この種、使い捨て哺乳器として、下記特許文献が存在する。
即ち、文献１によると、ミルク液収納用カップ（２）を上端開口で、而も下端が閉塞された所謂、有底の円筒型に形成し、このカップ（２）の上端開口から所望のミルクを流し込んだ後、乳首（４）を被せ、カップリングである乳首ホルダー（５）を硬質のカップホルダー（３）にねじ込み、押え込んでいる。
然しながら、この様にミルク液収納用カップ（２）と乳首（４）とが、別物であると、ややもすると勿体無いという経済観念が先行し、両者（２）、（４）の何れかを捨てずに持ち帰ったり、或いはその場での簡単な水洗をした後、再使用する場合もあり、使い捨てという本来の目的を果たさず、特に、その使用場所がアウトドアーであると、却って衛生上問題となる。
勿論、哺乳後、乳首（４）のみを意識して捨てても、次の新しい乳首（４）は、それ以前に使用したミルク液収納用カップ（２）の上端開口に接触することとなり、このカップ（２）をその場で洗浄することが不可欠となる。
文献２についてもミルク液収納用ライナー（４）と、乳首（２）とは別物であり、共通の技術的課題が存在する。
更に、文献３についても、ミルク液収納用ライナー（１８）と、乳首（２０）とは別物であり、言及するまでにも及ばない。
特に、乳首（４）は、その感触性、耐薬品性、無害性等から、今日の状態においてシリコーンゴム以外に代替材料は存在しない。本出願以前に、同一出願人による未公開の特許出願（特願２００５−０６０４７５号）も存在するが、乳首はシリコーンゴム製となる一方、ミルク液収納用ライナーが例えば異種材料のポリブロピレン、ポリエチレン等にて製造されている場合、シリコーンゴム製の乳首との接着は極めて特殊な接着技術、例えば接着面を放電加工にて凹凸面とし、接着剤が浸透するアンカー接合作用させる技術、更には食品衛生上からも難題が山積する。
勿論、熱溶着は、今日の技術では不可能に近く、結局は機械的結合に頼るしかなく、信頼性に欠けることとなる。【０００３】
【特許文献】特開平８−１８７２７３号・・・・・文献１  特開平１０−１５５８７８号・・・・文献２  特開平１１−１４６９０３号・・・・文献３
【発明の開示】
【発明が解決しようとする課題】
【０００４】  本発明は、ミルク液収納用カップ／ライナーはミルク注入口となる上端開口で、而も下端が閉塞された所謂、有底の円筒型であるから、当然、乳首とは別異な構造となり、何れかの一方を捨てずに持ち帰ったり、その場で簡単な水洗をした後、再使用することの無い様、使い捨てという本来の目的を果たし、且つ乳首が、その感触性／柔軟性、耐薬品性、無害性等から、シリコーンゴム製ということの課題も解決しようとするものである。
【課題を解決するための手段】
【０００５】  以上の課題を解決するために本発明は、内部が可覗可能な上下端開口の円筒型硬質ライナー用ホルダーと、該ホルダーの内部に装填される薄肉のチューブ状ミルク液収納用ライナーと、このライナーの内孔上縁と連通する様、該ライナーと共に同一材料のシリコーンゴムにて一体的に成型された乳首と、更に前記ホルダーの上下端開口部に夫々着脱自在に被さる乳首保護用トップフード及びボトムキャップとで構成し、而も上向状態としたチューブ状ライナーの下端内孔口より所望のミルクを注入して該ライナー用ホルダーよりはみ出た前記ライナーのはみ出部を折り曲げ、ボトムキャップの嵌合によって押え込んで封口し、該ライナー内に収納ミルクを封入する様に成しことによって、乳首とミルク液収納用ライナーとは、常に一対して使用、更には使用後、使い捨てされ、使い捨てという本来の目的を果たし、且つ乳首とミルク液収納用ライナーとを別物にて製造した場合の結合手段、例えば溶着、接着等の極めて困難な技術的課題をも解決した使い捨て哺乳器。
【発明の効果】
【０００６】（１）請求項１により、乳首とミルク液収納用ライナーとは、常に一対して使用され、更に使用後も別々に分離されることはないから、一緒に使い捨てされ、何れか一方のみが再使用されるという不測の事態が生じない。
更に、乳首と、ミルク液収納用ライナーとは、共にシリコーンゴムにて一体成型しているから、特殊な接着技術、例えば接着面を放電加工によって凹凸面としてアンカー接合作用させることもなく、且つ熱溶着は勿論、信頼性に乏しい機械的結合に頼ることもない。【０００７】（２）請求項２により、ライナー用ホルダーは、硬質の合成樹脂にて成型されているので、柔軟性に富むシリコーンゴム製の可透性ミルク液収納用ライナーの保形性を保ち、ミルク注入時に型崩れして、ミルクがこぼれることを防ぎ、而も該ライナー用ホルダーは透光性合成樹脂であるから、内部のミルク液収納用ライナーのミルク収納状態を目視できる。【０００８】（３）請求項３により、ライナー用ホルダーは、金属製としそのほぼ全長に亘ってミルク液収納用ライナーの内部を覗くことができるスリットを設けているので、そのスリットから容易に内部のミルク収納状態を把握できる。【０００９】（４）請求項４により、金属線製の引寄せフックにてボトムキャップを弾圧して折曲したはみ出部を押え込んで封口し、該ライナー内のミルクが漏洩することを防止することができる。【００１０】（５）請求項５により、乳首には、ミルク液吸出孔が形成され、該吸出孔には剥離シールを貼着しているので、乳首が下向きのミルク液注入時、該貼着されたシールによって、漏れることがなく、且つ上向きにして哺乳する際、該シールを剥離すればよく、携帯用として極めて利便性に富む。【００１１】（６）請求項６により、乳首の吸出孔には乳首保護用トップフードの内面に形成した小突子を圧入しているから、上記剥離シールに比し、別部品を要せず、同様の効果が得られる。
【発明を実施するための最良の形態】
【００１２】  以下本発明を実施形態の図面に基づいて説明する。
【実施例１】図１は本発明に係る使い捨て哺乳器の正面図であって、ライナー用ホルダーＨは上下端開口Ｈａ、Ｈｂの円筒型に形成され、且つ可覗可能な硬質材料にて製造されている。この硬質材料としてはアルミ、ステンレス等の金属、更にはポリプロピレン、ポリエステル等の合成樹脂にて作られている。而して、ここで言う可覗可能とは、内部が覗ける状態を指し、図２、図３に示す如く可透性の合成樹脂、更には図１４に示す如く、ホルダーＨのほぼ全長に亘って、スリット２５を設けてもよい。このホルダーＨの内部には該ホルダーＨの長さｙ１より長い薄肉チューブ状のミルク液Ｍを収納する
可透性ミルク液収納用ライナーＬが装填挿入される。ホルダーＨの長さｙ１は、約１４０ｍｍ、直径ｄは、約６０ｍｍとしている。
このチューブ状ライナーＬの本体７の内孔Ｌｘの上縁Ｌａと連通する様、該ライナーＬと共に同一材料であるシリコーンゴムにて一体的に乳首１が成型される。【００１３】  尚、この乳首１とライナーＬとの境界にはフランジ９が突出形成されており、ホルダーＨの内孔Ｈｘの上端開口Ｈａには乳首１の停止用凹溝２が設けられており、上端開口Ｈａには乳首１の保護用トップフードＦが被さる。
この被さりを強固なものとする様、ホルダーＨの上端開口Ｈａの外周には溝３が形成されており、トップフードＦの内周には凸条１３が嵌合する。
下端開口部ＨｂにはボトムキャップＢが嵌着される。この嵌着はボトムキャップＢの内周に凸条６を、ホルダーＨの下端外周に凹溝４を夫々設けている。
ライナーＬの本体７の下端内孔口Ｌｂは、ホルダーＨの長さｙ１よりｙ２の長さだけはみ出ており、このはみ出部８はホルダーＨの直径ｄよりも長くなっている。従って、図７に示すごとくはみ出部８を折り曲げた際、ホルダーＨの下端開口Ｈｂを横断してから、ホルダーＨの下端外周凹溝４の高さ位置まで到達してボトムキャップＢによりホルダーＨの外周面に安定よく挟み付け固定され、ライナーＬの内孔Ｌｘに収納されたミルク液Ｍが、例えば哺乳器の横倒し等不測の事態においても、直ちに漏洩することはない。【００１４】  又、ライナーＬの厚みに考慮し、図３〜図６に示す如く、はみ出部８の下方からホルダーＨの下端開口Ｈｂまでには至らない一定深さｇと、入隅側に変位した適当な溝幅ｗのスリット１２を切り欠くことにより、そのはみ出部８における折り曲げ部分の重ね厚代を減少させている。
このはみ出部８は、更にスリット１２を介して、入隅側の短いはみ出部８ａと、出隅側のはみ出部８ｂに分割形成することが好ましい。これは折り曲げた先端部がほぼ同じ長さに揃い体裁が良い。【００１５】  次に本発明の使い捨て哺乳器の使用順序を説明すると、先ず図６に示す様に、ホルダーＨの上端開口Ｈａを下向きに、且つ下端開口Ｈｂを上向きとなる様、台板等の硬いベースＴに乳首１の保護用トップフードＦを載置する。
勿論、乳首１が外部の物に触れることはない。
この状態において、上向きの可透性ミルク液収納用ライナーＬの下端内孔口Ｌｂは、ホルダーＨの長さｙ１よりｙ２の長さだけはみ出ており、このはみ出部８より、所望のミルクＭを注ぎ込んだ後、図７に示す如く破線状態よりはみ出部８を折り曲げ、図８に示す如く、ボトムキャップＢを嵌合して封口し、ミルクＭを封入する。
続いて、図９に示す如く、図８の状態よりホルダーＨのボトムキャップＢを下向きにし、トップフードＦを外ずし、哺乳準備とする。
上記哺乳後、ボトムキャップＢを外すことによって、乳首１をライナーＬと共に引き抜き、これらを使い捨てし、車両や旅行、特にアウトドアーでの携帯用に好都合となる。
上記乳首１及びライナーＬの使い捨てにおいて、ホルダーＨ及びボトムキャップＢ並びにトップフードＦは、ミルク液Ｍと直接に触れないため、洗浄、殺菌等の必要性は無い。勿論、簡易な水洗いは差し支えない。【００１６】  そこで、本発明に係る哺乳器を再使用する場合は、新品の乳首１と共にー体のミルク液収納用ライナーＬを図６に示す如く、ホルダーＨの上端開口Ｈａを下向きに、且つ下端開口Ｈｂを上向きとなる様、台板等の硬いベースＴに乳首１の保護用トップフードＦを載置し、はみ出部８より、所望のミルク液Ｍを注ぎ込んだ後、図７、図８に示す如く、ボトムキャップＢを嵌合して封口し、ミルク液Ｍを封入することとする。【００１７】  図１〜図９の上記第１実施形態は、ホルダーＨ側の凹溝４へ、その開閉用ボトムキャップＢ側の凸条６を嵌合させて、ライナーＬのはみ出部８を折り曲げ、重ね合わせ部分を噛み込封止する様になっているが、図１０及び図１１の第２実施形態に示す如く、ホルダーＨに嵌着するボトムキャップＢを、そのホルダーＨの下端部へ引き寄せ圧着させる様に構成してもよい。
即ち、ボトムキャップＢの外周面から一体的に張り出した径大なリング状のフランジ１４に、下開口の係止凹溝１５を形成し、ホルダーＨにおける外周面の中途高さ位置から一体的に張り出す一対の支持アーム１６に、引寄せフック１７を回動自在に軸支持して、その各フック１７の先端部（下端部）から上向きに突出する係止凸部１８を、上記ボトムキャップＢ側のフランジ１４に開口する係止凹部１５へ、言わばテコ作用する如く係合自在とし、ボトムキャップＢをホルダーＨの下端部へ引き寄せ圧着させた状態に保つこととなる。【００１８】  これにより、ライナーＬがホルダーＨの下端部とボトムキャップＢとの相互間に挟み付け固定される結果、矢張りミルク液Ｍが不慮に洩れだすおそれはない。ライナーＬはシリコーンゴムとしての柔軟性を有するため、所謂縛り上げ状態に密封される。
尚、上記係止凸部１８と係止凹溝１５との凹凸関係が逆となる様に、そのリング状のフランジ１４をホルダーＨ側から張り出す一方、引き寄せフック１７とその支持アーム１６をボトムキャップＢ側に設置してもよい。このフック１７は回動支点１９となる。【００１９】  更に、図１２及び図１３は本発明の第３実施形態を示しており、使い捨て哺乳器は、上記ホルダーＨやボトムキャップＢ、乳首１と共にシリコーンゴムにて一体的に成型されたライナーＬ、トップフードＦの外に、乳首押えカラーＣも含む合計４部品から成っている。
即ち、乳首押えカラーＣは、上記ボトムキャップＢと同種の硬質な着色合成樹脂から約上半部の径小なトップフードＦの受け入れ口筒２０と、残る下半部の径大なネジ口筒２１とを備えた段付きの円筒型に一体成型されていると共に、そのトップフードＦの受け入れ口筒２０の外周面からトップフードＦの嵌合用凸条２２が一体的に張り出されている。【００２０】  又、ライナーＬとの連続一体的な乳首１の根元部から張り出す位置決め用の径大なビート又はフランジ９が、ホルダーＨの上端部へ載置状態として位置決め係止され、上記乳首押えカラーＣのネジ口筒２１をホルダーＨの外周面へ着脱自在に螺合締結した時、そのビート又はフランジ９が、乳首押えカラーＣによって、上方から押え付け固定される様になっている。
そのため、乳首１が一体のライナーＬを上方からホルダーＨの内部へスムーズに差込装填でき、乳首１と共にそのライナーＬの使い捨て時にも、これをホルダーＨから上方に無理なく軽快に抜き出せ、作業性が向上する。【００２１】  更に、乳首カラーＣにおけるトップフードＦの受け入れ口筒２０の凸条２２と対応合致する位置関係として、トップフードＦの内周面には嵌合用凹溝２３が設けている。そのトップフードＦ側の凹溝２３を上記乳首押えカラーＣ側の凸条２２へ、嵌合自在に差し込み、ホルダーＨ側に予め押し付け固定されているライナーＬの乳首１を上方から安全に被覆することができる。
而も、断面ほぼ逆Ｕ字型を成すトップフードＦの中央部からは、乳首１の押し下げ口筒２４が一体的に垂下されており、トップフードＦを上記乳首押えカラーＣ側の受け入れ口筒２０へ差し込み嵌合させた時、その乳首押し下げ口筒２４似よって乳首１が自ずと浸没する如く、弾性変形される様になっている。
その結果、ホルダーＨの長さｙ１を一定と仮定した場合、その乳首１が押し下げ沈没されることになる長さ分だけ、哺乳器それ自体を背低く小型コンパクト化することができる。尚、上記トップフードＦ側の凹溝２３と乳首押えカラーＣ側の凸条２２とは、その嵌合する凹凸関係を逆設定してもよい。【００２２】  更に、ホルダーＨの外周面へ、その開閉用ボトムキャップＢを着脱自在に螺合締結させているが、上記ライナーＬは薄肉・軟質であり、自在に弾性変形するため、この様な螺合締結を採用することも可能であり、そのライナーＬの折り曲げ用はみ出部８をホルダーＨの外周面とボトムキャップＢとの相互間へ、噛み込み封止状態に挟込み付け、固定することができる。【００２３】  続いて図１４に示す如く、第４実施形態ではライナー用ホルダーＨをアルミ、ステンレス等の金属製とし、且つ全長に亘って内部の可覗用スリット２５を設けている。
更にミルク液収納用ライナーＬと乳首１とは同一材料であるシリコーンゴムにて一体的に成型されている。
又、乳首１のミルク液の吸出孔１０は剥離シール２６が貼着されている。これは、ミルク液収納用ライナーＬの下開口Ｌａを上向きとして、ミルクを注入する際、ミルクが漏れるのを防ぎためのものである。この状態はトップフードＦにて支持されるから、さほど強固な接着性を要せず、仮止め状態で充分であるから、その接着剤としては、無害性を重視し、例えばでん粉系を用いる。従って、哺乳時、容易に剥離できる。
勿論、図３、図６に示す如く、トップフードＦの内面に小突子２７を形成し、ミルク液吸出孔１０に圧入させてもよい。これは乳首１が弾性に富むシリコーンゴム製であることから可能となる。【００２４】  又、ミルク液収納用ライナーＬは、はみ出部８をそのままストレート形状に形成され、ライナー用ホルダーＨの外側に折り返してボトムキャップＢを嵌合し、引き寄せフック１７を金属線としボトムキャップＢがライナーＬを介してライナー用ホルダーＨに嵌合された状態で、バネ力によってボトムキャップＢをホルダーＨに弾圧する。
即ち、この引寄せフック１７によって、ボトムキャップＢにバネ力を付与し、ホルダーＨに弾発的に嵌合させる。
この場合、ホルダーＨには外周面の中程高さ位置から一体的に張り出す一対の支持アーム１６が設けられ、一方の支持アーム１６にはフック１７が設けられ、他方の支持アーム１６にはボトムキャップＢと一体的に形成したヒンジ２７を設けてもよい。
【図面の簡単な説明】
【００２５】
【図１】本発明に係る使い捨て哺乳器の第１実施形態を示す正面図
【図２】同上の分解状態を示す正面図
【図３】同上のＩＩＩ−ＩＩＩ線断面図
【図４】同上のＩＶ−ＩＶ線断面図
【図５】ミルク液収納用ライナーを抽出して示す斜視図
【図６】ホルダーに対するライナーの差込セット状態を示す断面図
【図７】同上のライナーのはみ出し部を折り曲げた状態を示す断面図
【図８】同上のボトムキャップを嵌合した状態を示す断面図
【図９】使用状態を示す断面図
【図１０】本発明に係る使い捨て哺乳器の第２実施形態を示す正面図
【図１１】同上のＸＩ−ＸＩ線断面図
【図１２】本発明に係る使い捨て哺乳器の第３実施形態を示す正面図
【図１３】同上のトップフーを取外した使用状態を示す断面図
【図１４】本発明に係る使い捨て哺乳器の第４実施形態を示す正面図
【図１５】金属線製の引き寄せフックの斜視図
【符号の説明】
Ｍ    ミルク液
Ｈ    ライナー用ホルダー
Ｌ    チューブ状ライナー
Ｆ    トップフード
Ｂ    ボトムキャップ
１      乳首
８    はみ出し部
１０  ミルク液吸出孔
１２  スリット
１４  フランジ
１７  フック
２６  剥離シール
２７  小突子
【図１】
2008073487.tif 000003
【図２】
2008073487.tif 000004
【図３】
2008073487.tif 000005
【図４】
2008073487.tif 000006
【図５】
2008073487.tif 000007
【図６】
2008073487.tif 000008
【図７】
2008073487.tif 000009
【図８】
2008073487.tif 000010
【図９】
2008073487.tif 000011
【図１０】
2008073487.tif 000012
【図１１】
2008073487.tif 000013
【図１２】
2008073487.tif 000014
【図１３】
2008073487.tif 000015
【図１４】
2008073487.tif 000016
【図１５】
2008073487.tif 000017